Podtech/llm-jp-corpus-v4-ja_patent huggingface dataset:
(57)【要約】【課題】  本発明は、画鋲の美的な機能を高め、しかも楽しく使用するための飾り鍔をつけた画鋲を提供する。【解決手段】  画鋲の頂部を球形状に形成したつまみ部（１）の底面部にあたる押し当て部（２）の周縁部に様々な形や模様を施した飾り鍔（３）を前記押し当て部（２）と一体に設けたことを特徴とする飾り鍔をつけた画鋲。【選択図】図１
2013217485.tif 000002
【特許請求の範囲】
【請求項１】
画鋲の頂部を球形状に形成したつまみ部（１）の底面部にあたる押し当て部（２）の周縁部に様々な形や模様を施した飾り鍔（３）を前記押し当て部（２）と一体に設けたことを特徴とする飾り鍔をつけた画鋲。
【発明の詳細な説明】
【技術分野】
【０００１】  本発明は、画鋲の美的な機能を高め、しかも楽しく使用できるように画鋲に飾り鍔をつけた画鋲に関するものである。
【背景技術】
【０００２】  従来、いろいろな画鋲が市販されていて、近年、画鋲の頭部にいろいろと工夫されたものが多くみられるようになった。
たとえば、メモなどを傷つけずに壁などに張り付けることができ、メモの取り外しも簡単な画鋲が提案されている。（特許文献１参照）
【先行技術文献】
【０００３】
【特許文献１】  実開平７−４４３１８号公報
【発明の概要】
【発明が解決しようとする課題】
【０００４】  しかしながら、どの画鋲にも押し当て部の形状は円形状のものが多く、使用時における視覚的美的感覚に乏しい欠点があった。
本発明は以上のような欠点を解決するためになされたものである。
【課題を解決するための手段】
【０００５】  頂部を球形状に形成したプラスチック製画鋲のつまみ部（１）の底面部にあたる押し当て部（２）の周縁部に様々な形状や模様を施した飾り鍔（３）を前記押し当て部（２）と一体に設ける。
本発明は以上のような構成よりなる飾り鍔をつけた画鋲である。
【発明の効果】
【０００６】  本発明の画鋲を使用すると、従来の単調な画鋲と比較して視覚上美的な雰囲気が醸成され、画鋲を使用する楽しさを味わうことができる。
また、画鋲に飾り鍔をつけたことにより対象物を押える範囲が拡がり押さえの効果が大きくなる。
さらには、飾り鍔の外縁を多角形に形成することで、画鋲を平面上においても転がりにくく、つまみ部の頂部が球形状になっているため、画鋲の針先が上方を向くことがないので安全性が保持できる。
【図面の簡単な説明】
【０００７】
【図１】  本発明の斜視図である。
【図２】  本発明の平面図である。
【図３】  本発明の模様や形を変えた実施例を示した平面図である。
【図４】  本発明の模様や形を変えた実施例を示した平面図である。
【図５】  本発明の模様や形を変えた実施例を示した平面図である。
【図６】  本発明の模様や形を変えた実施例を示した平面図である。
【図７】  本発明の模様や形を変えた実施例を示した平面図である。
【図８】  本発明の模様や形を変えた実施例を示した平面図である。
【発明を実施するための形態】
【０００８】  本発明の実施の形態について説明する。
画鋲の頂部を球形状に形成したプラスチック画鋲のつまみ部（１）の底面部にあたる押し当て部（２）の周縁部に様々な形状や模様を施した飾り鍔（３）を前記押し当て部（２）と一体に設けた飾り鍔をつけた画鋲である。
本発明は以上のような構造である。
本発明を使用するときは、つまみ部（１）を指先でつまんで持ちながら画鋲の針（４）の先端で対象物を突き刺しながら壁面や柱、ボード等へ、飾り鍔（３）の底面部と押え部（２）の底面部を対象物に密着させるように強く押し込んで固定する。
【符号の説明】
【０００９】    １  つまみ部
２  押し当て部
３  飾り鍔
４  針
【図１】
2013217485.tif 000003
【図２】
2013217485.tif 000004
【図３】
2013217485.tif 000005
【図４】
2013217485.tif 000006
【図５】
2013217485.tif 000007
【図６】
2013217485.tif 000008
【図７】
2013217485.tif 000009
【図８】
2013217485.tif 000010
(57)【要約】【課題】  高い熱交換効率を維持しつつ、圧損も低減できる磁気冷凍機用低圧損磁気作業物質構造を提供する。【解決手段】  磁気冷凍機用低圧損磁気作業物質構造において、板状の磁気作業物質１と、熱絶縁層２を交互に積層し、その積層方向に垂直に熱交換媒体流路となる多数の穴３を開けたハニカム構造を有する。【選択図】  図１
2013217583.tif 000002
【特許請求の範囲】
【請求項１】
板状の磁気作業物質と、熱絶縁層を交互に積層し、その積層方向に垂直に熱交換媒体流路となる多数の穴を開けたハニカム構造を有することを特徴とする磁気冷凍機用低圧損磁気作業物質構造。
【請求項２】
請求項１記載の磁気冷凍機用低圧損磁気作業物質構造において、前記板状の磁気作業物質が、ガドリニウム、ランタン系又はマンガン系であることを特徴とする磁気冷凍機用低圧損磁気作業物質構造。
【請求項３】
請求項１又は２記載の磁気冷凍機用低圧損磁気作業物質構造において、前記熱絶縁層がポリイミドフィルムからなることを特徴とする磁気冷凍機用低圧損磁気作業物質構造。
【発明の詳細な説明】
【技術分野】
【０００１】
本発明は、磁気冷凍機用低圧損磁気作業物質構造に係り、特に磁気冷凍機用低圧損磁気作業物質構造に関するものである。
【背景技術】
【０００２】
ガドリニウム（Ｇｄ）やランタン−鉄−シリコン系（Ｌａ−Ｆｅ−Ｓｉ）化合物などの磁気作業物質の磁気熱量効果を利用したＡＭＲ（Ａｃｔｉｖｅ  Ｍａｇｎｅｔｉｃ  Ｒｅｆｒｉｇｅｒａｔｉｏｎ）型磁気冷凍機においては、磁気作業物質と熱交換媒体の熱交換効率が冷凍能力に影響する。
【先行技術文献】
【非特許文献】
【０００３】
【非特許文献１】日本冷凍空調学会論文集  Ｔｒａｎｓ．ｏｆ  ｔｈｅ  ＪＳＲＡＥ  Ｖｏｌ．２８，Ｎｏ．３（２０１１），ｐｐ．２１３〜２２３
【発明の概要】
【発明が解決しようとする課題】
【０００４】
従来のＡＭＲ型磁気冷凍機では、ＡＭＲダクト内に球状の磁気作業物質が充填されており、このＡＭＲダクト内を水などの熱交換媒体が通過することにより冷凍能力を得ている。しかしながら、球状の磁気作業物質を用いると、圧損が大きくなり、熱交換媒体の流量が制限されてしまう。加えて磁気作業物質が球状であるため流路が均一にならず、熱交換媒体の偏流が起きて熱交換の効率が低下してしまうという問題があった。
【０００５】
本発明は、上記状況に鑑みて、高い熱交換効率を維持しつつ、圧損も低減できる磁気冷凍機用低圧損磁気作業物質構造を提供することを目的とする。
【課題を解決するための手段】
【０００６】
本発明は、上記目的を達成するために、
〔１〕磁気冷凍機用低圧損磁気作業物質構造において、板状の磁気作業物質と、熱絶縁層を交互に積層し、その積層方向に垂直に熱交換媒体流路となる多数の穴を開けたハニカム構造を有することを特徴とする。
〔２〕上記〔１〕記載の磁気冷凍機用低圧損磁気作業物質構造において、前記板状の磁気作業物質が、ガドリニウム、ランタン系又はマンガン系であることを特徴とする。
【０００７】
〔３〕上記〔１〕又は〔２〕記載の磁気冷凍機用低圧損磁気作業物質構造において、前記熱絶縁層がポリイミドフィルムからなることを特徴とする。
【発明の効果】
【０００８】
本発明によれば、次のような効果を奏することができる。
（１）ハニカム構造により高い熱交換効率を維持しつつ、圧損も低減することができる磁気冷凍機用低圧損磁気作業物質構造を提供することができる。
（２）また、球状の磁気作業物質をランダムに充填した場合とは異なり、均質な構造であるので、熱交換媒体の偏流が起きることがない。
【０００９】
（３）ＡＭＲダクトは流れ方向に温度勾配を持つ必要があり、積層された熱絶縁体によって流れ方向の伝熱を低減することができる。
【図面の簡単な説明】
【００１０】
【図１】本発明の実施例を示す磁気冷凍機用低圧損磁気作業物質構造を示す斜視図である。
【発明を実施するための形態】
【００１１】
本発明の磁気冷凍機用低圧損磁気作業物質構造は、板状の磁気作業物質と、熱絶縁層を交互に積層し、その積層方向に垂直に多数の穴を開けたハニカム構造を有する。
【実施例】
【００１２】
以下、本発明の実施の形態について詳細に説明する。
図１は本発明の実施例を示す磁気冷凍機用低圧損磁気作業物質構造を示す斜視図である。
この図において、１は板状の磁気作業物質であり、ガドリニウム（Ｇｄ）、ランタン（Ｌａ）系もしくはマンガン（Ｍｎ）系からなる。２は板状の磁気作業物質１の間に配置される熱絶縁層であり、ポリイミドフィルムからなる。図示されるように、板状の磁気作業物質１と熱絶縁層２は交互に積層される。３は板状の磁気作業物質１と熱絶縁層２との積層方向に垂直に開けられた熱交換媒体流路となる多数の穴である。このように本発明の磁気冷凍機用低圧損磁気作業物質構造は、板状の磁気作業物質１と熱絶縁層２との積層方向に垂直に多数の穴３を開けたハニカム構造をしている。
【００１３】
したがって、本発明のハニカム構造の磁気作業物質構造によれば、
（１）ハニカム構造により高い熱交換効率を維持しつつ、圧損も低減することができる磁気冷凍機用低圧損磁気作業物質構造とすることができる。
（２）また、従来のように球状の磁気作業物質をランダムに充填した場合とは異なり、本発明の磁気冷凍機用低圧損磁気作業物質構造は、均質な構造であるので、熱交換媒体の偏流が起きることがない。
【００１４】
（３）ＡＭＲダクトは流れ方向に温度勾配を持つ必要があるが、積層された熱絶縁体によって流れ方向の伝熱を低減することができる。
なお、本発明は上記実施例に限定されるものではなく、本発明の趣旨に基づき種々の変形が可能であり、これらを本発明の範囲から排除するものではない。
【産業上の利用可能性】
【００１５】
本発明の磁気冷凍機用低圧損磁気作業物質構造は、ハニカム構造により高い熱交換効率を維持しつつ、圧損も低減することができる磁気冷凍機用低圧損磁気作業物質構造として利用可能である。
【符号の説明】
【００１６】
１    板状の磁気作業物質
２    熱絶縁層
３    熱交換媒体流路となる多数の穴
【図１】
2013217583.tif 000003
(57)【要約】【課題】  東北大震災の原子力発電所の地震発生による停止処理。【解決手段】  マルチン・ブーバー「同じ体験を2度する事を神（情報）と認識する。」に基く速さを情報の認識としていた事から「速さと時間のトレードオフ」こそエネルギー・フィールドの位相制御を（地震のプレート変動）情報化に採用すべきとしたサイズモ系導電センサーをプレートに設けて発電情報を得る事とした地震計ワーク。【選択図】      図１
2013217782.tif 000002
【特許請求の範囲】
【請求項１】
地層の変動ダイナミズムを地中に埋め込んだプレート上に設けたサイズモ系導電センサーの発電情報としてエネルギー・フィールドの位相制御を速さと時間のドレードオフの情報の認識で地学的仕事の地震を情報化する地震計ワーク。
【請求項２】
サイズモ系導電センサーを2個以上1つのプレート上に設けた事を特徴とする上記請求項１記載の地震計ワーク。
【発明の詳細な説明】
【技術分野】
【０００１】
本発明は、従来の地震計ワークの一つに属する複数のサイズモ系導電センサーを1枚のプレートに有した地震計ワークに関する。
【背景技術】
【０００２】
従来の地震計ワークの例として、情報の認識を「速さ」とした地震計ワークがあります。
【発明の概要】
【発明が解決しようとする課題】
【０００３】
機械的振動による「速さ」を情報の認識とすると、疑似体験シュミレーションまでの地震計ワークとなり、マルチン・ブーバー「神（情報）の認識は同じ事を2度体験することにある。」とする地震の地学的仕事の情報化の地震計ワークとできず、東北大震災の原子力発電所の仕事停止の情報化のワークの完全が果たされていないという欠点がある。
【０００４】
本発明は、上記実情に鑑みてなされたものであり、従来の海底地震のプレートの変動のダイナミズムを、エネルギー・フィールドの位相制御を情報化するのに発電情報（速さと時間のトレードオフ）による双曲線1本に2度体験の2点を有する、情報化基準の制御フィールド・センター制御と称される従来のロープ1本の振動で表せる視覚化した情報化から、ふろしき1枚の振動とする線から面への変革を遂げた情報化、エネルギー・フィールドの位相制御を仕事の情報化として理解できる構成である。
【０００５】
上記目的を達成するため発明は、従来のマン・マシン・インターフェイス向上を計ったシュミレーションの地震計ワークを、マン・マシン・インターオペラビリティ向上を計った仕事を情報化するプレートに複数個のサイズモ系導電センサーを設けた発電情報を出力する地震計ワークとする構成である。
【発明の効果】
【０００６】
本発明により、海底震源地近くに埋め込んだ地震計ワークにより海底プレートの分離・結合・すべりに基くフィード・センター制御情報化基準の制御をコンピュータアンドコミュニケーションシステムの海底ケーブル及び海底中継器他により、原子力発電所の発電制御に於ける停止及び冷却へのフル・オートマチック・コントロールへの情報化へのワークの完全が果たされる。
【図面の簡単な説明】
【０００７】
【図１】本発明の複数のサイズモ系導電センサーをプレートに設けた地震計ワーク。
【発明を実施するための形態】
【０００８】
本発明の実施の形態の一例について図面を参照しながら説明する。
サイズモ系導電センサーを有した地震計ワークは、図１に示すように地層変動のダイナミズムの情報化プレート１，複数のサイズモ系導電センサー２，３，４，５，６，７，８，９，１０で構成される。
【符号の説明】
【０００９】
1       プレート
2.3.4.5.6.7.8.9.10    サイズモ系導電センサー
【図１】
2013217782.tif 000003
(57)【要約】      （修正有）【課題】全くエネルギーを必要としない浮力と重力を利用した新規なトルク発生システムを提供する。【解決手段】回転体となる円筒形のドラム１と、浮体２と重り３をシャフトで結んだピストンによって構成されドラム１内は水などの液体で満たす。ピストンは浮体２をドラムの内側に中心に向けて配置され重り３はドラムの外側に配置され、シャフトはスライドベアリングなどを使ったガイドによって支える。重り３は浮体２の浮力に応じて円滑に浮き上がるように調整する。ドラム１は密閉され回転しやすい様にシャフト等によって固定する。上記の構成によって、上部の重り３は浮体２の浮力によって上に持ち上げられ下部の重りは引き上げられる。その結果ドラム１は重力バランスによって回転を始める。この回転は数本のピストンを適切に配置することに寄って滑らかに行われる。【選択図】図１
2013217356.tif 000002
【特許請求の範囲】
【請求項１】
液体を充填したドラムに、真ん中に浮体、両端に重りを付けたシャフトを、浮体をドラムの内側に、重りをドラムの外側に成るようにセットする事を基本とした浮力と重力を利用した動力発生装置。
【発明の詳細な説明】
【技術分野】
【０００１】本発明は浮力と重力を利用した新規な動力発生装置に関する。
【背景技術】
【０００２】従来様々な浮力を利用した動力発生システムが試されてきたが、産業上有用に生かされた技術は皆無に近いものであった。【０００３】本発明者が目にした浮力を利用したシステムの殆どは、浮力によって高所に持ち上げた物体を落下させその衝撃を回転運動に変える等として利用するものであった。
それらは高水圧下の中へ浮体を押し込む、或いは高所から水を注ぐなどの作業を必要とし、そのエネルギーを賄えるエネルギーが得られる事は決して無かった。
【発明の概要】
【発明が解決しようとする課題】
【０００４】本発明は上述したようなシステムとは異なり全くエネルギーを必要としない浮力と重力を利用した新規なトルク発生システムを提供する事を目的とするものである。
【課題を解決するための手段】
【０００５】本発明は回転体となる円筒形のドラムと浮体と重りをシャフトで結んだピストンによって構成されドラム内は水などの液体で満たされる事を特徴とする。
ピストンはそれぞれ浮体をドラムの内側に中心に向けて配置され重りはドラムの外側配置されシャフトはスライドベアリングなどを使ったガイドによって支えられる。
重りは浮体の浮力に応じて円滑に浮き上がるように調整する。
ドラムは密閉され回転しやすい様にシャフト等によって固定される。
概略図１及び２で明らかなように、上部の重りは上に持ち上げられ下部の重りは引き上げられる。
その結果ドラムは位置のエネルギーを得て回転を始める。
この回転は数本のピストンを適切に配置することに寄って滑らかに行われる。
【発明の効果】
【０００６】本発明の一番の効果はエネルギーの補給なしに自力で回転することである。
その主な理由の一つは浮力を生み出す例えば水がドラムにに対して重力として働かないことであり重りの重力だけが回転に関与することに有る。
しかも浮力に寄って得られた位置のエネルギーがストレートにトルクに変換されるのでロスなくエネルギーを取り出すことが出来る。
これに寄って浮体と重りのバランスを適切に取り、数本のピストンを適切に配置すれば相当なエネルギーが生み出される産業上有用な発明で有る。
【図面の簡単な説明】
【０００７】
【図１】本発明の装置のドラムに１本のピストンをセットし水を満たした時の概略の正面の断面図である。
【図２】本発明のドラムに２本のピストンをセットし水を満たした時の概略の正面の断面図である。
【符号の説明】
【０００８】図１及び２の１は水に満たされたドラム本体である。
図１及び２の２は浮体である。
図１及び２の３は重りである。
【図１】
2013217356.tif 000003
【図２】
2013217356.tif 000004
(57)【要約】      （修正有）【課題】大災害時、特に大地震が発生した場合に予想される道路の大渋滞に対して、速やかに多くの人々に飲料水を給水できる給水装置を提供する。【解決手段】主要道路の中央部に設けられた緑地帯に道路に沿って水道管２を埋設し、緑地帯の要所要所には水道管２に取付けた給水装置３を設置する。給水装置３は、図示しないが保護板体で包囲して土中に埋設し、給水装置３の前側面部には逆止弁４、ユニオン５及バルプ６などをそれぞれ取付けるとともに、上部に蓋７を有する取水口を設ける。また、給水装置３内の内部には、通水の濁りを防止するために、両側板辺と中央部とに通水板９を設け、常時通水する。【選択図】図２
2013217177.tif 000002
【特許請求の範囲】
【請求項１】
公道である国道等の、中央帯におけるある緑地帯に、先ずジャンクション毎に一線に水道管を通延そして常時通水をして、諸々の水道管の要所要所に、ユニオン及バルプをそれぞれ介して給水装置を一度大災害などで水道管が断水をすると、直ちにユニオン及バルプが作動して、これを介して通水はこの支管に切替えれる、通水は水道管に通水するとともに給水装置に満水状態と変更されてるので、直ちに取水の蓋を取外して速に人々に飲料水を供給できる特徴を有する、請求項記の給水装置
【発明の詳細な説明】
【技術分野】
【０００１】  本発明は、国道の要路や高速道路等の各中央部に緑地帯を設けて、該緑地帯に設置した給水装置に関する。
【背景技術】
【０００２】  従来より全国に設けられてある道路には観賞用として設けられてあるが、今は立派な緑地帯としてのみ利用されてある状態である。【０００３】  全国の大小の各総ての緑地帯は、国の法律の規制によって厳しく管理されてあり、いろいろと規則があり容易に変更させることは許可されないと思考するものである。
【先行技術文献】
【特許文献１】  特許２００６−２００００２
【０００４】
【特許文献２】  特許４９５３０３６
【発明の概要】
【発明が解決しようとする課題】
【０００５】  而し例えば高速道路などは、一度例えば盆等の人口移動があると、大渋滞を起すなどの欠陥があるがすぐ従前の状態に戻るが、例えば一度大災害が発生すると大渋滞となって、大パニックなどが発生して、人命をおびやかす一命に関する大問題となるものと思考するものである。
【発明の概要】
【発明が解決しようとする課題】
【０００６】  上記に述べたように従来の慣習にとらはれずに、緑地帯を要所要所に設置することである。
【課題を解決する手段】
【０００７】  以上述べた様に道路の緑地帯が、これ以外に全く利用されていないことである。
【０００８】  本発明は、この様な構成、規制ある問題を、例えば盆等の人口移動でも大渋滞で水に困っているときに時間が解決するが、大災害等が発生すれば、考えられない事態が起きる状態になることは必死で大パニックを起したとき、人命救助に少しでも役立てる効果があって、飲料水を容易に提供できるなどの、人名救助に供することを目的とする。
【問題を解決するための手段】
【０００９】  また課題としての問題は、小面積の場所でも、常備しておいて大災害時の発生でも速かに容易に組立て出来て飲料水を大人数の人々で利用できることである。
【発明効果】
【００１０】  上記したように本発明は、給水装置は要所要所に容易に取付けしておいて、大災害時において、給水出来るようにしたことである
【００１１】  上述したように本発明は、大災害時特に大地震の発生の際は断水により、満水の状態で給水装置の飲料水を提供出来る事である。
【図面の簡単な説明】
【００１２】
【図１】  本発明の実施形態を示す給水装置の部分上面図。
【図２】  同給水装置の断面側面図。
【発明を実施するための形態】
【００１３】  以上述べた様に従来の一般の緑地帯はこの他には全く利用されていないのが現状である。
【００１４】  本発明は、この様な構成を有している問題、例えば盆などの人口移動には大渋滞を有して時間が解決するが、一旦大災害時特に、大地震の発生した場合、如何なる状態が起きるか、考えるまでもなく大パニックとなり大混乱が起きるのは目を見るより明らかであり、大パニックの状態とするは必定であり、大事な事態となる、特に人命については、一番の必要となる水が供給容易に提供出来る人命の一助となれることを目的とする。
【００１５】  一般においても、その緑地帯の近辺の住民に不足した水を容易に充分に提供することを目的とする。
【００１６】  本発明は上記の目的を達するために、先ず、全緑地帯の中央部に一連の水道管を直通して、各要所要所に供給装置を設置するものである。
【００１７】  而して水道管には常時通水しておいて、一旦大災害などで断水すれば、給水装置の各装置が働いて、給水装置は満水の状態になって直ちに飲料できる、効果を発揮することが出来るのである。
【００１８】  本発明は、上記の目的を達成するために、先ず、緑地帯の中央辺に一本の水道管を直進設置して、要所要所に給水装置を設置するものである。
【００１９】  この際、水道管は給水装置が、切替によって水道管は通水を続行しているのである。
【発明を実施するための形態】
【００２０】  以下、本発明の実施の形態を図に基いて詳細に説明する。
【００２１】  図１は、主要道路の中央辺に設けた緑地帯である。
【００２２】  図の２は、緑地帯の中央辺に埋設した水道管で、３は緑地帯の要所要所に、水道管に取付けた給水装置である。
【００２３】  給水装置３は、図示してないが保護板体で包囲して土中に埋設して、給水装置３の前側面部に逆止弁４ユニオン５及バルプ６などをそれぞれ取付けてるとともに、上部に蓋７を有する取水口８を設けて上中に少しく覗かせて突出する。
【００２４】  給水装置３内の内部は、通水の濁りを防止するために、給水装置３内部の両側板辺に、通水板９の上端部を蓋７の下端部を少しく底部とに少しく開いて通水板８を設けるとともに、その中央部に通水板８をこの給水装置３の底部に直立に取付けるとともに、上部に蓋７を適当の間隔を設けて通水板９に前面Ｕ字状を呈してあって常時通水してあるので新鮮な飲料水を保たれてある。
【００２５】  本通水板９は、給水装置３の大小長短等によって数基板取付けすることが出来る。
【００２６】  以上の構成を説明する、大災害において断水すると、給水装置３の各部分が働いて満水の状態であるので早急に取水口８より清水を吸上げて大勢の人々に供給することが出来て、人命救助の一助としての効力を発揮する。
【００２７】  この様に本発明は、緑地帯１に設置し得ることが可能になり、人命の救助に一役を担う特徴を有するものである。
【符号の説明】
【００２８】１・・・・緑地帯
２・・・・水道管
３・・・・給水装置
４・・・・逆止弁
５・・・・ユニオン
６・・・・バルプ
７・・・・蓋
９・・・・通水板
【図１】
2013217177.tif 000003
【図２】
2013217177.tif 000004
(57)【要約】      （修正有）【課題】家屋の出入り口の開閉時における安全を向上させる保護板を提供する。【解決手段】家屋の入り口扉１について、蝶番９の反対側に、上下２個の切り込みを入れ、主軸３を設ける。主軸３を中心に回転するローター４を取り付け、さらにローター４の外周の一部に、保護板２を付加する。保護板２は主軸３を中心に扉１の切り込み部分に当たるまで回転できる。【選択図】図１
2013217175.tif 000002
【特許請求の範囲】
【請求項１】
家屋の入り口扉について、反蝶番側に保護板を付加した家屋扉。
【発明の詳細な説明】
【技術分野】
【０００１】本発明は家屋からの外出時、および入居時の安全を向上させようとするものである。
【背景技術】
【０００２】従来出入り口の安全確保については、二重扉があるが、一般に普及していない。
【発明概要】
【０００３】本発明は従来の家屋扉の反蝶番側に、保護板を付加することによって、家屋扉の開閉時における、安全を向上させようとするものである、
図  １はこの発明の、正面図である、屋内側を正面図としている。
▲１▼は従来の家屋扉である。
▲２▼はこの発明による保護板であり、入居時は図示の通り屋内に取り込んでおく。
▲３▼はこの発明による主軸であり、図示の通り扉に一部に切りこみを入れ、扉に設置している、なお安定的に作動させるため上下２つ設けている。
▲４▼はローターであり、上記▲３▼の主軸を中心に回転する、安定的に作動させるため上下２つ設けている。
▲５▼は上記▲４▼の外周の一点に、本発明の保護板の取付部。
図  ２はこの発明による平面図である、但し第一図  正面図のＡ〜Ａ‘断面図である、図示の通り、扉開時においてこの発明による保護板▲２▼は点線表示の通り屋外側回転する。
図  ３は左側面図である、但し第一図  正面図のＢ〜Ｂ‘断面図である。
図  ４はこの発明による家屋扉の背面図であり、屋外側の図である、この時この発明による保護板▲２▼は屋外側になっている。
図  ５は扉▲１▼の錠を開錠後、この発明による保護板▲２▼を外枠▲１０▼に沿わせながら扉を開けている図である、なお扉の開操作を続けると、保護板▲２▼は外枠▲１０▼を離れ図  ４の通りとなる、この状態で施錠する。
図  ６は屋外から開錠し、入居した図である、この時屋外側にあった保護板▲２▼を屋内側に取り込む。
このように外出時、入居時共保護板▲２▼により、屋外との仕切りができるため、外出時、入居時共安全性が向上するものである。
【課題を解決するための手段】
【０００４】この発明の課題は、扉本体に切り込みを入れることであり、強度に問題がある、この問題を解決するため、扉の厚みを増加させて対応する。
【発明の効果】
【０００５】この発明により、家屋扉開閉時における、安全性を向上させ、特に単身居住者の安全に寄与できるものである。
【発明を実施するための最良の形態】
【０００６】広く社会に告知しこの発明の活用をはかる。
【図面の簡単な説明】
【０００７】
【図１】この発明の保護板▲２▼を付加した家屋扉である、屋内側を正面図としている、扉本体▲１▼の反蝶番側に上下２個の切り込みを入れ、主軸▲３▼を設けている、この主軸▲３▼を中心に回転するローター▲４▼を取り付け、さらにローター▲４▼の外周の一部に本発明による、保護板▲２▼を取り付けている。この保護板▲２▼は扉▲１▼の切り込み部分に当たるまで回転できる。
【図２】この発明の家屋扉の平面図である、但し図  １のＡ〜Ａ‘断面図である、▲１▼は扉▲２▼はこの発明により付加した保護板▲３▼は主軸、▲４▼はローター▲５▼はローターの外周の一点にこの発明による保護板▲２▼が取り付けられている、なお保護板▲２▼は扉▲１▼開の場合点線位置まで、回転できる。
【図３】この発明による家屋扉の右側面図である、但し図  １正面図のＢ〜Ｂ‘側面図である。
【図４】この発明による家屋扉の背面図である、屋外側を背面図としている、この発明による保護板▲２▼は屋外側で図示している。
【図５】この発明による保護板▲２▼を付加した家屋扉▲１▼を開錠し、外出する時を示す、家屋扉▲１▼を次第に開いて行くと、保護板▲２▼は外枠▲１０▼を外れ外出が可能となる、次にこの保護板▲２▼を屋外側に残し施錠する、ここで図  ４の状態になる。
【図６】図  ４の状態から開錠し入居する図である、この発明による保護板▲２▼を屋内側に取り込みながら入居する、その後施錠し図  １に戻る。
【符号の説明】
【０００８】▲１▼  家屋扉
▲２▼  保護板
▲３▼  主軸
▲４▼  ローター
▲５▼  保護板取付部
▲６▼  ノブ
▲７▼  鍵
▲８▼  チェーン
▲９▼  蝶番
▲１０▼  外枠
【図１】
2013217175.tif 000003
【図２】
2013217175.tif 000004
【図３】
2013217175.tif 000005
【図４】
2013217175.tif 000006
【図５】
2013217175.tif 000007
【図６】
2013217175.tif 000008
(57)【要約】      （修正有）【課題】自然の力をうまく活用した設計により、高い信頼性で動作が行われるようにする。【解決手段】（１）構造体は、竹などの軽質材を丈夫な繊維紐２でつなぎ合わせて、筵（ムシロ）状に作成する。繊維紐２の一端を海底に埋め込んだ金具に接続し、筵状の構造体はその浮力によって、海中に壁状態に広がるようにする。（２）個々の構造体は、材料の長さなどの制限のため、あまり大きな構造体にできないので、海岸線を広く防御するような場合には、複数の構造体を設置することとし、海岸線に対して、千鳥状などにして複数層設置する。（３）構造体が、津波などの波の威力を緩衝する主な働きとして、波によって海中深くに沈み込ませられることによって、波の陸上に押し寄せる力を消費させる働きであり、もう一点は、波動の進行方向が上方に向くことにより、浮き上がった水の重力分も陸上に向かう威力を低減させる。【選択図】図１
2013217173.tif 000002
【特許請求の範囲】
【請求項１】
構造体に軽質材料を使い、その浮力で海水中に壁状態で広がらせ、押し寄せた津波などの威力を軽減する役目を果たす水中津波緩衝機構である。  主体となる構造体は、多数の棒状などの軽質材を、丈夫な繊維紐で繋いで筵状に作成し、その繊維紐の一端を海底に埋め込んだアンカー金具に繋ぎこみ、海中に壁状に立ち上がらせることによって、津波などが押し寄せた時に、その波がこの構造体を通過する時に、その陸上に向かう威力を緩衝する働きを持つ。
【請求項２】
構造体に、竹などの内部に空間を持つ材料を使い、海水を取り込めるようにすれば、その海水も含めて、海底側に移動させられることになり、波の威力を更に緩衝できる。
【請求項３】
構造体は、できるだけ筵状で隙間がある構造とし、波の力を分散させやすくし、材料費の低減効果も持たせる。
【請求項４】
構造体は海水中で、直立する状態を維持する形態とし、引き波に対しても緩衝効果を持たせる。
【発明の詳細な説明】
【技術分野】
【０００１】津波や高波などの海からの波の威力を緩衝するために、設置する機構に関するものである。
【背景技術】
【０００２】今までの津波防御用の防波堤は、鉄筋の入ったコンクリートなどを使った固定式のものが主体であり、大がかりで、材料費や工事費が膨大であった。  又、今までに発明されていた可動式のものは、空気室を設置するなどにより、複雑な工夫により動作されるもので、材料費や工事費が嵩むし、信頼性が必ずしも高くなかった。
【先行技術文献】
【０００３】
【特許文献１】特許公開２０１０−１０１０９７
【発明の概要】
【発明が解決しようとする課題】
【０００４】固定式の防波堤でかかる膨大な材料費や工事費を低減させること。他の可動式の防波堤で必要である複雑な工夫や動作を避け、自然の力をうまく活用した設計により、高い信頼性で動作が行われるようにすること。
【課題を解決するための手段】
【０００５】津波などの威力をできるだけ沿岸部に伝えないように、できるだけ沿岸部の上流、つまり水中で、波動を緩衝することを考慮した。  水に浮く材料で、その浮力で水中に屹立し、津波などの波動を緩衝する。できるなら、竹などのように内部に空間のある材料を使い、その内部に水を取り込めば、取り込んだ水の重量も併せて、津波の波動の伝達の緩衝に活用することを考慮した。  これらの点から、有効に動作し、津波緩衝機構として充分に機能する仕組みを考案した。
【発明の効果】
【０００６】当発明では、竹材など軽質で環境に優しい材料を中心に使うので、安価な材料費、工事費で済む。  この機構は浮体を中心としており、水中に壁形式で設置させ、押し寄せる波の力を、浮体を移動させる力と、水を浮き上がらせる力に分散させ、津波の威力を緩衝、低減させる。
又、引き波に対しても、抵抗として作用させ、災害の低減に役立たせる。
【図面の簡単な説明】
【０００７】
【図１】図１は、本発明の構造体（水中防波壁）の構造図である。
【図２】図２は、本発明の設置図である。
【図３】図３は、本発明で、沿岸部施設を津波から守る場合の設置想定図である。
【図４】図４は、本発明の津波を緩衝する時の動作を表した図である。
【発明を実施するための形態】
【０００８】構造体は、竹などの軽質材を丈夫な繊維紐（棕櫚など）などでつなぎ合わせて、筵（ムシロ）状に作成する。３本以上の繊維紐などで繋ぐことにより、１本が破損しても機能しつ続けるようにする。繊維紐の下端を海底に埋め込んだ金具に接続し、筵状の構造体はその浮力によって、海中に壁状態に広がるようにする。  １個の構造体は、５−１０ｍ長さで、海中に広がった時の高さは海深より３−５ｍ程度長くして、その分海面に広がるようにして、津波などに対して防波効果を増加させ、持続させるように考慮する。（図１及び図２参照）
個々の構造体は、材料の長さなどの制限のため、あまり大きな構造体にできないので、海岸線を広く防御するような場合には、複数の構造体を設置することを想定している。
実際には、図３に示したように、海岸線に対して、千鳥状などにして複数層設置することで対応する。
構造体が、津波などの波の威力を緩衝する主な働きは、以下の２点で行われる。
一点は、構造体である浮体が、波によって海中深くに沈み込ませられることによって、波の陸上に押し寄せる力を消費する働きであり、もう一点は、波動の進行方向が上方に向くことにより、浮き上がった水の重力分も陸上に向かう威力が低減することである。図４参照。
【符号の説明】
【０００９】１．浮体：竹などの軽質材で作られた、５−１０ｍ長さの棒状もしくは柱状の構造体
２．繊維紐：多数の浮体を繋ぐ繊維を主体とした紐。丈夫で海水に強いもの
３．アンカー金具：繊維紐を繋ぎこみ、構造体全体を支える金具。海底に埋込み、津波などが押し寄せた時に、防波壁全体が波動に負けないような強度を持たせる。
【図１】
2013217173.tif 000003
【図２】
2013217173.tif 000004
【図３】
2013217173.tif 000005
【図４】
2013217173.tif 000006
(57)【要約】      （修正有）【課題】基礎と杭及び地盤と共に振動しないように地盤と基礎の動きを切り離すようにした基礎を提供する。【解決手段】構築体７の基礎６を支える杭１よりも、大きめの穴を設け、穴底部を固定し、上部を弱固定材にてクション材及び小粒子材にて杭を固定して成る減震杭打ち機構で、軟弱地盤に対し、くい打ちにて、杭撓みに寄る減震する、減震くい打ち機構で、杭１の径より穴径を大きく掘り穴壁を金属及びコンクリートなどにて成形固定し、掘り穴の下と、杭１の下部をコンクリートなどにて固定し、中間部、及び上部の空間に石灰のどの弱結合材を充填し、その上に基礎６と杭１を結合して構成している。地震による地盤が動いたとき杭の下部は地面と共震し、上部は弱結合材を破壊し杭の動きに抵抗し震動を抑える。特に上部に充填する機能材は、単体及び複合して成型してもよく、特にゴムなど可能である。又、上部の充填は無くても可能である。【選択図】図１
2013217101.tif 000002
【特許請求の範囲】
【請求項１】
構築体の基礎を支える杭よりも、大きめの穴を設け、穴底部を固定し、上部を弱固定材にて杭を固定して成る減震杭打ち機構
【請求項２】
構築体の基礎を支える杭よりも、大きめの穴を設け、穴底部を固定し、上部を弱固定材にてクション材及び杭を固定して成る減震杭打ち機構
【請求項３】
構築体の基礎を支える杭よりも、大きめの穴を設け、穴底部を固定し、上部を弱固定材にてクション材及び小粒子材にて杭を固定して成る減震杭打ち機構
【請求項４】
構築体の基礎を支える杭よりも、大きめの穴を設けその穴壁を固定壁として、  請求項１、請求項２、請求項３、記載の上部を複数係合して、穴底部を固定し、上部を弱固定材にて杭を固定して成る減震杭打ち機構
【発明の詳細な説明】
【技術分野】
【０００１】
本発明は、基礎くい打ち機構にかんするものである。
【背景技術】
【０００２】
現在減震機構の必要に迫われている。
【０００３】
しかし、基礎と杭及び地盤と共に振動という欠点があった。
【発明の概要】
【発明が解決しようとする課題】
【０００４】
解決しようとする問題点は、地盤と基礎の動きを切り離す点である。
【課題を解決するための手段】
【０００５】
上記目的を達成するために、本発明は、請求項１にこの改善策として、杭の撓みを用いて基礎の動きを減小して成る事を特徴とする減震くい打ち機構。
杭の径より穴径を大きく掘り杭の下部をコンクリートなどにて固定し、中間部、及び上部の空間に石灰などの弱結合材を充填し、その上に基礎と杭を結合して構成している。
【０００６】
上記目的を達成するために、本発明は、請求項２にこの改善策として、杭の撓みを用いて基礎の動きを減小して成る事を特徴とする減震くい打ち機構。
杭の径より穴径を大きく掘り杭の下部をコンクリートなどにて固定し、中間部、及び上部の空間に石灰のどの弱結合材とクション材を充填し、その上に基礎と杭を結合して構成している。
【０００７】
上記目的を達成するために、本発明は、請求項３にこの改善策として、杭の撓みを用いて基礎の動きを減小して成る事を特徴とする減震くい打ち機構。
杭の径より穴径を大きく掘り杭の下部をコンクリートなどにて固定し、中間部、及び上部の空間に石灰のどの弱結合材とクション材及び小粒子材を充填し、その上に基礎と杭を結合して構成している。
【０００８】
上記目的を達成するために、本発明は、請求項４にこの改善策として、杭の撓みを用いて基礎の動きを減小して成る事を特徴とする減震くい打ち機構。
【０００９】
杭の径より穴径を大きく掘り穴壁を金属及びコンクリートなどにて成形固定し、掘り穴の下と、杭の下部をコンクリートなどにて固定し、中間部、及び上部の空間に石灰のどの弱結合材を充填し、その上に基礎と杭を結合して構成している。
地震による地盤が動いたとき杭の下部は地面と共震し、上部は弱結合材を破壊し杭の動きに抵抗し震動を抑える。
【００１０】
特に上部に充填する機能材は、単体及び複合して成型してもよく、特にゴムなどわ可能である。又、上部の充填は無くても可能である。
【発明の効果】
【００１１】
地震による地盤が動いたとき杭の下部は地面と共震し、上部は弱結合材を破壊し杭の動きに抵抗し震動を抑える。即ち減震作用を行う。
【００１２】
地震による地盤が動いたとき杭の下部は地面と共震し、上部は弱結合材を破壊し杭の動きに抵抗し震動を抑える。即ち減震作用を行う。
【００１３】
本発明のくい打ち機構は、軟弱地盤に必然的に多く使用されるので、減震効果が取りだせ地震による地盤が動いたとき杭の下部は地面と共震し、上部は弱結合材を破壊し杭の動きに抵抗し震動を抑える利点がある。
【００１４】
本発明のくい打ち機構は、上部は弱結合材とを破壊し杭の動きに抵抗し震動を抑える利点がある。空間に石灰のどの弱結合材とクション材として、ゴムを及び小粒子材として砂利を充填し、その上に基礎と杭を結合して構成している。
ゴムは、微振動を吸収し砂利は、滑り抵抗にて、振動を減少する効果がある。
【図面の簡単な説明】
【００１５】
【図１】機構を示す正面図
【図２】杭の動作を示す作用図
【図３】上部穴及び杭の動作を示す作用図
【図４】機構を示す作用図
【産業上の利用可能性】
【００１６】
本発明は、減震くい打ち機構で基礎に関する減震で、減震を簡易利用できる。
【符号の説明】
【００１７】
１    杭
２    穴壁
３    杭底部固定体
４    減震材
５    滑り材
６    基礎
７    構築体
１１  砂利
１２  クション材
１３  弱結合材
【図１】
2013217101.tif 000003
【図２】
2013217101.tif 000004
【図３】
2013217101.tif 000005
【図４】
2013217101.tif 000006
(57)【要約】【課題】ロフトへの上り下りを安全に、楽にしかも物を持って運ぶことも出来るような階段を造る。また、設置場所を小さくする。【解決手段】この階段は、直階段で架けた時は片側又は両側に手摺りを設ける。格納する時は、ロフトの下の壁側に垂直に立てる。このとき手摺りも同時に折りたたむ。子供や主婦でも軽く動かせるように階段も両側板の下場に戸車をつける。【選択図】図３
2013217170.tif 000002
【特許請求の範囲】
【請求項１】
階段の両側板下先端ａ部にキャスターを取り付けて、階段の全長の中心より少し上部（任意に決める）にｇ点を取り、階段に腕木を取り付ける位置を決める。ａ−ｇ＝ａ’−ｇ’に  なるようにｇ’点を決める。ｇ、ｇ’を中心として同円を描く。同円が交わる２点を通る線分ｅを引く。その線上に壁ハの仕上げ面より４〜５ｃｍのところへｈ点を取る。このｈ  点に階段の腕木支持金物をとりつける。腕木はｇ−ｈ間に取り付けたことになる。この方法で取り付けたキャスターと腕木を装着した階段。
【請求項２】
この階段に付属する折りたたみ式の手摺り。
【発明の詳細な説明】
【技術分野】
【０００１】本発明は、ロフトに上り下りするための階段に関する。
【背景技術】
【０００２】ロフトに上り下りする手段としてロフト梯子、段違い階段、固定階段がある。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】ロフトへの梯子での上り下りは両手で梯子をつかみ、身体を引き寄せながらほぼ垂直に上って行く為、物を持って上がることが出来ない。また、手を滑らせると落ちて怪我をする危険性がある。【０００６】固定式階段については、設置面積を大きくとらなければならないので、小住宅には無理がある。設置場所を小さくして、インテリアとしても楽しめる。
【課題を解決するための手段】
【０００７】本発明は、ロフトに直階段を架けて、右、又は、左側に壁がある場合は、その反対側に手摺りを設ける。壁がない場合は両側に手摺りを設ける。ロフトに階段が取り付く位置は床からロフトまでの壁または、柱を設ける。その壁または柱の中間部分に階段を支える腕木を階段の巾の両側に取り付ける。腕木は鉄又はステンレス鋼で作ることが望ましい。その腕木の片方を階段の中間当たりの下場に取り付ける。腕木は上下に回転する。この腕木があることによって、階段の格納時は、壁際に引き寄せほぼ垂直に立てて格納することができる。手摺りも同時に折りたたみする。格納の仕方は階段の下の段板を持って前に押し寄せていく。この時階段は床を滑っていくので軽く滑るように階段の側板の下先端に戸車をつける。
【発明の効果】
【０００８】この発明は、ロフトへの上り下りを安全にかつ楽に行うことが出来、しかも、物を運びあげることも容易に出来る。格納時は場所をとらないため、設置場所が小さい部屋でも良い。また、格納した場合階段は垂直に立つのでインテリアとしても楽しめる。
【図面の簡単な説明】
【０００９】
【図１】本発明の正面図
【図２】本発明の階段部分の側面図。架けた場合と格納した場合を示す。
【図３】本発明の階段部分に手摺りを付けて示す。
【図４】本発明のシステムに必要な金物を取り付けた状態を示す。
【図５】金物の取り付け位置の設定方法を示す。
【発明を実施するための形態】
【００１０】  階段１の両側板の下先端にキャスターａをとりつける。その階段の中間より少し上に任意の点ｇをとる。ｇからｈに架けてステンレス鋼の腕木ｂを階段の両側に設ける。
腕木ｂは上下に回転できるようにｈ支点金物を壁ハにしっかりと固定する。この腕木ｂとキャスターａにより階段をロの位置から水平に押すだけで階段２の位置まで格納することが出来る。この時、腕木ｂの取り付け位置については図５において、その方法を示す。階段の中間より少し上場に任意の点ｇをとる、距離ａ−ｇとａ’−ｇ’が同じになるように求める。ｈを決めるにはｇとｇ’間を２等分する、２等分した線ｅの延長線上で壁ハの仕上げ面から４〜５ｃｍのところとする。
【００１１】  手摺りについては図３に示すように階段が格納された時に手摺りも折りたためる。
その方法は図４に示す。手摺り用腕木ｂはｆ−ｈとｂ’で構成する。ｂ’の先端は手摺り子３のｅ部分に自在回転金具で取り付ける。Ｆ回転支点も自在金具で接続する。ｅ点の位置はｃ＝ｂ’となるようにする。手摺り子の不動支点は手摺り子の最下部とする。
【実施例】
【・・・・】
【産業上の利用可能性】
【・・・・】
【符号の説明】
【００１２】イ）ロフト  ロ）居室の床  ハ）壁又は柱  １）階段（架けた場合）
２）階段（格納した場合）  ３）手摺り小  ４）手摺り  ａ、ａ’）キャスター
ａ−１、ａ−２）ｇ’を決めるためのａ、ａ’を中心とした同円  ｂ）階段用腕木  ｃ）手摺り用腕木  ｅ）手摺り小と腕木の接続支点  ｆ）手摺り用腕木の回転支点
ｇ）階段用腕木の階段部取り付け支点（階段を設置した状態）
ｇ’）階段用腕木の階段部取り付け支点（階段を格納した状態）  ｇ−１とｇ−２）線分ｅを決めるために描いた円（ｇ−１＝ｇ’−２）  ｅ）ｇとｇ’間の２等分線
ｈ）階段腕木の壁支持金具支点
【図１】
2013217170.tif 000003
【図２】
2013217170.tif 000004
【図３】
2013217170.tif 000005
【図４】
2013217170.tif 000006
【図５】
2013217170.tif 000007
(57)【要約】【課題】  本発明は、脱着と収納が容易にでき、既存、または、新規両方に使えることが目的で、墓石の前面にて、生花を挿入する花立用の蓋を提供する。【解決手段】  合成樹脂板を円盤状に設け、円周上の裏側面に等角度に複数のネジを埋め込んだことを特徴とする花立用の蓋。【選択図】図１
2013217168.tif 000002
【特許請求の範囲】
【請求項１】
合成樹脂板を円盤状に設け、円周上の裏側面に等角度に複数のネジを埋め込んだことを特徴とする花立用の蓋。
【発明の詳細な説明】
【技術分野】
【０００１】  本発明は、脱着と収納が容易にでき、既存、または、新規両方に使えることが目的で、墓石の前面にて、生花を挿入する花立用の蓋に関するものである。
【背景技術】
【０００２】  墓石前面に設置された花立は、未使用時に生花挿入口が開いたままになっていた。
【先行技術文献】
【特許文献】
【０００３】
【特許文献１】  特開平８−２０９９７８号公報
【特許文献２】  特開平９−２２０１４４号公報
【特許文献３】  特開平１４−１７４０５３号公報
【特許文献４】  特開平１６−６０３８７号公報
【発明の概要】
【発明が解決しようとする課題】
【０００４】  花立は使われていない時間が長く、放置されたままである未使用時間が長期になるため、花立の中側に雨水が満杯になり、水の腐敗が進み悪臭を放っていた。
気温の上昇時は、蚊の発生も見られる。
光合成の変化により青色から黒色になっていた。
また、木の葉、砂、隣側の使用中の落花が入り込み不衛生である。
本発明は以上を解決するためになされるものである。
【課題を解決するための手段】
【０００５】  合成樹脂板に金属ネジを埋込み、花立の上側に載せて、雨水の浸入を防ぐことを特徴とする。
【発明の効果】
【０００６】  雨水の浸入を防ぐ。砂、埃、木の葉が入り込まない。雨水が溜まらないため蚊の発生、悪臭の飛散がなくなり清潔感が保たれる。
清掃するとき、短時間で行える。
【図面の簡単な説明】
【０００７】
【図１】  本発明の分解斜視図である。
【図２】  本発明の使用状態を示した斜視図である。
【図３】  本発明の使用平面図である。
【図４】  本発明の未使用収納状態を示した説明図である。
【図５】  本発明の未使用収納状態を示した説明図である。
【図６】  蓋の側面図である。
【図７】  蓋の使用状態を示した側面図である。
【図８】  蓋の収納状態を示した側面図である。
【図９】  蓋の使用状態を示した拡大図である。
【図１０】  蓋の収納状態を示した拡大図である。
【発明を実施するための形態】
【０００８】  以下本発明の実施の形態について説明する。
（イ）合成樹脂を円盤状に花立の外周より約１０％大きく設ける。
合成樹脂の厚みは約４ｍｍ以上約５ｍｍ以下を使用する。
（ロ）切断した樹脂板の片面に横振れ防止用の金属ネジを円周上に等間隔に蓋の厚みの半    分以下を埋込むとする。
（ハ）埋め込みネジは、ステンレス製の皿型のネジ頭とする。
（ニ）埋め込みネジの位置は、合成樹脂板の縁より内側に設ける。
（ホ）埋め込みネジの位置は、合成樹脂板の片面側に等角度に設ける。
設ける数は５点が好ましい。
（ヘ）埋め込み方は、合成樹脂にネジの長さ等間隔１０分の３とする。
（ト）埋め込みネジは、蓋の表面にネジ山の尻が突抜けないこととする。
本発明は以上のような構成である。
本発明を使用するときは、花立の未使用時、生花挿入口の上に載せて蓋とする。
（イ）埋め込みネジが花立縁の外側になるように載せる。
（ロ）蓋が強風地震による飛散は、花立の外側縁と埋め込みネジ頭の縁が振れ合い飛散を    防止する。
（ハ）ステンレス製ネジは錆が発生せず錆発生による埋め込みネジ穴の拡大を防止する。
（ニ）合成樹脂板は、やわらかく刻印がしやすく、家紋、氏名を刻印して盗難防止に役立    てる。
（ホ）蓋収納は花立縁に埋め込みネジ１点を架け、残り４点を墓石側に垂直に架け置く。
（ヘ）蓋収納は、線香立ての奥側も利用できる。
（ト）本発明の蓋は、既存の花立、新規の花立、両方に使えることを特徴とする。
（チ）本発明の蓋の表面が真平らであるので、掃除が安全で、短時間で行える。
【符号の説明】
【０００９】１  蓋
２  金属ネジ
３  花立
４  墓石
【図１】
2013217168.tif 000003
【図２】
2013217168.tif 000004
【図３】
2013217168.tif 000005
【図４】
2013217168.tif 000006
【図５】
2013217168.tif 000007
【図６】
2013217168.tif 000008
【図７】
2013217168.tif 000009
【図８】
2013217168.tif 000010
【図９】
2013217168.tif 000011
【図１０】
2013217168.tif 000012